(57)【特許請求の範囲】
【請求項１】
フェイス壁（１，２）及び細幅側壁（３，４，５，６）によって形成されているケーシング（７）と、少なくとも１つのひげそりアセンブリ（Ｓ）のための電気駆動機構と、少なくとも１つのコントロールスイッチ（２０）と、枢動可能にケーシング（７）に取り付けられており、ひげそりアセンブリを保護するための略Ｕ形状のキャップ部（１８）を有する保護部材とを備える乾式ひげそり装置であって、
フェイス壁（１，２）に平行に延びる少なくとも１つの保護壁（１６，１７）を有するキャップ部（１８）が、ケーシング（７）の少なくとも１つのフェイス壁（１，２）に回転継手によって枢動可能に取り付けられており、ひげそりアセンブリ（Ｓ）が開放されている枢動位置にキャップ部（１８）及び保護壁（１６，１７）があるときのみ、コントロールスイッチ（２０）が作動可能であり、
前記回転継手と前記コントロールスイッチ（２０）は、前記ケーシング（７）のフェイス壁（１，２）上に配置されており、
前記コントロールスイッチ（２０）の制御移動の少なくとも１つのためのコンタクトパス（２１）として機能する凹部が、保護壁（１６，１７）に設けられていることを特徴とする、乾式ひげそり装置。
【請求項２】
前記回転継手が、前記フェイス壁（１，２）と前記保護壁（１６，１７）とに設けられている協働関係にある係合要素（１２，１３，１４，１５）によって形成されていることを特徴とする、請求項１に記載の乾式ひげそり装置。
【請求項３】
前記係合要素（１２，１３，１４，１５）が、円形凹部及び前記円形凹部と係合する円形ピンとして形成されていることを特徴とする、請求項１又は２に記載の乾式ひげそり装置。
【請求項４】
前記円形ピンが前記ケーシング（７）のフェイス壁（１，２）に設けられていることを特徴とする請求項１〜３のいずれか１項に記載の乾式ひげそり装置。
【請求項５】
前記円形ピンが前記保護壁（１６，１７）に設けられていることを特徴とする、請求項１〜３のいずれか１項に記載の乾式ひげそり装置。
【請求項６】
前記円形凹部が前記保護壁（１６，１７）に設けられていることを特徴とする、請求項１〜３のいずれか１項に記載の乾式ひげそり装置。
【請求項７】
前記円形凹部が前記保護壁（１６，１７）を貫通して延びる穴として形成されていることを特徴とする、請求項６に記載の乾式ひげそり装置。
【請求項８】
前記円形凹部が前記ケーシング（７）の前記フェイス壁（１，２）を貫通して延びる穴として形成されていることを特徴とする、請求項１〜３のいずれか１項に記載の乾式ひげそり装置。
【請求項９】
前記円形凹部が前記ケーシング（７）の前記フェイス壁（１，２）に形成されていることを特徴とする、請求項１〜３のいずれか１項に記載の乾式ひげそり装置。
【請求項１０】
前記フェイス壁（１，２）及び前記保護壁（１６，１７）の前記係合要素（１２，１３，１４，１５）が、スナップ嵌めによって協働関係で保持されていることを特徴とする、請求項１〜９のいずれか１項に記載の乾式ひげそり装置。
【請求項１１】
前記スナップ嵌めが、円周方向溝２２と前記円周方向溝（２２）に適合されている弾性スプリングアーム（３２）のスプリング（３３）とによって達成されていることを特徴とする、請求項１０に記載の乾式ひげそり装置。
【請求項１２】
前記円周方向溝（２２）が前記係合要素（１３，１５）の円形ピンに設けられ、前記スプリング（３３）を有する前記スプリングアーム（３２）が、前記係合要素（１２，１４）の円形凹部の壁に対して弾性的に形成されていることを特徴とする、請求項１１に記載の乾式ひげそり装置。
【請求項１３】
前記キャップ（１８）内に円形穴が配置され、スライドリブ（３６）が前記円形ピンと前記円形穴との間に設けられていることを特徴とする、請求項１〜１２のいずれか１項に記載の乾式ひげそり装置。
【請求項１４】
前記スライドリブ（３６）が前記円形ピンの外壁に一体的に形成されていることを特徴とする、請求項１３に記載の乾式ひげそり装置。
【請求項１５】
前記フェイス壁（１，２）と前記保護壁（１６，１７）との前記係合要素（１２，１３，１４，１５）が、プラグ接続によって協働関係で保持されていることを特徴とする、請求項１〜１４のいずれか１項に記載の乾式ひげそり装置。
【請求項１６】
前記保護部材が、２つの保護壁（１６，１７）と前記保護壁同士を連結しているキャップ部（１８）とによって形成されていることを特徴とする、請求項１〜１５のいずれか１項に記載の乾式ひげそり装置。
【請求項１７】
前記コントロールスイッチ（２０）が滑り制御装置として形成されていることを特徴とする、請求項１〜１６のいずれか１項に記載の乾式ひげそり装置。
【請求項１８】
前記コンタクトパス（２１）である前記凹部が、枢動可能に取り付けられている保護壁（１６）に設けられていることを特徴とする、請求項１７に記載の乾式ひげそり装置。
【請求項１９】
前記コンタクトパス（２１）である前記凹部が、前記ケーシング（７）のフェイス壁（１）に取り付けられていることを特徴とする、請求項１８に記載の乾式ひげそり装置。
【発明の詳細な説明】
【０００１】
【発明の属する技術分野】
本発明は、フェイス壁(face wall)及び細幅側壁によって形成されているケーシングと、少なくとも１つのカッターアセンブリのための電気駆動機構と、少なくとも１つのコントロールスイッチと、枢動するようにケーシングに取り付けられ、ひげそりアセンブリを保護するための略Ｕ形状のキャップ部を有している保護部材とを備えている乾式ひげそり装置に関する。
【０００２】
【従来の技術】
始めに言及したタイプの乾式ひげそり装置は、実公平2-17558号公報から知られている。乾式ひげそり装置のケーシングの２つの細幅側面に滑り回転継手によって滑り可能且つ回転可能に各々ちょうつがい式に取り付けられている細幅支持アームが、キャップ部の２つの端部に一体的に形成されている。このために、ヒンジピンが弾性的にケーシングの２つの端壁のそれぞれに支えられており、支持アームの端壁に設けられた長い溝と係合する。保護部材が滑ることのできる距離は、溝の長さ、すなわち、ヒンジピンが溝の端壁と接する長さによって決められている。
【０００３】
保護部材によって保護されているひげそりアセンブリを開放するために、一体的に形成された支持アームを有する保護部材がひげそりアセンブリ上を押し動かされ、ヒンジピンを中心として支持アームが枢動される。このように１８０゜枢動すると、保護部材はひげそりアセンブリと平行に延びる乾式ひげそりのケーシングの底壁の下になり、そこでケーシングに接するように押されて定位置にロックされることができる。十分なスペースがないと、ケーシングの細幅側面の滑り回転継手とキャップ部の細幅支持アームとを配置するには、滑り回転継手の構成要素を比較的小さな直径で作らなくてはならなくなり、その結果、乾式ひげそり装置を使用しているうちに破損する危険性が増加する。滑り可能且つ回転可能にケーシングの細幅側面に取り付けられている保護装置の操作は困難であり、そのため滑り回転継手の係合構成要素は頻繁に動かなくなる。
【０００４】
米国特許第2,787,830号明細書には、軸受け胴に係合されているヒンジピンによって約９０゜の角度の範囲で枢動するように、乾式ひげそり装置をディスク型ケーシングに取り付けることが記載されている。円形ケーシングの円形輪郭部に設けられている扇形の割込み部材は、乾式ひげそり装置を回転運動することができるようになっており、割込み部材から突出するように回すことができ、それによってひげそりヘッドが使用するために露出し、加えて、電気コードのコードプラグを、電気駆動メカニズムの動作を直接開始するようにディスク型ケーシングを通して乾式ひげそり装置に接続する事ができるようにしている。
【０００５】
【発明が解決しようとする課題】
本発明は、始めに言及したタイプの乾式ひげそり装置を改善することを目的とする。
【０００６】
【課題を解決するための手段】
本発明によると、この目的は、特許請求の範囲の請求項１で明らかにされている特徴部分によって始めに言及したタイプの装置で達成される。
【０００７】
本発明の本質的な利点は、ひげそりアセンブリの保護とひげそりアセンブリの保護部材からの開放の両方を行うためには、枢動可能に取り付けられている保護部材を、時計回り又は反時計回りの枢動方向のうちの必要な一方向に動かすだけでよいということにある。加えて、ケーシングのフェイス壁に取り付けられている保護部材は、回転継手の寸法を決定してそれを構設するために利用できる相当に大きなスペースを有しており、ケーシングの各々のフェイス壁にある一又は両方の保護壁によって保護部材のキャップ部の丈夫な取り付けが確実に行われる。
【０００８】
本発明の好ましい実施形態では、協働関係にある係合要素によって、フェイス壁及び保護壁に回転継手が形成される。係合要素は、円形凹部及びその円形凹部と係合する円形ピンとして形成されるのが好ましい。フェイス壁及び保護壁に回転継手を設けることにより、係合要素を比較的十分な寸法で作ること可能となり、その結果、凹部と係合している円形ピン上の円形凹部の滑り運動が比較的滑らかに行われる。本発明の好ましい実施形態では、円形ピンがケーシングの保護壁に設けられる。この実施形態によると、円形凹部は保護壁に設けられる。協働関係にある係合要素を合体させて、フェイス壁、及びキャップ部を支えている保護壁などの既存の構成要素に回転継手を形成することにより、特に製造が経済的な本発明の実施形態が提供される。
【０００９】
本発明の変形実施形態によると、円形ピンが保護壁に設けられる。対応している円形ピンと整合するように、円形凹部がケーシングのフェイス壁に設けられる。本発明の特に有利な実施形態においては、円形凹部が保護壁を貫通して延びる穴として形成される。また他の有利な実施形態においては、円形凹部がケーシングのフェイス壁を貫通して延びる穴として形成される。
【００１０】
本発明によると、フェイス壁及び保護壁の係合要素がスナップ嵌めによって協働関係に保持され、係合要素の非常に簡単で低コストの連結が達成される。本実施形態では更に、円周方向溝と、その円周方向溝にスナップ嵌めされるようになっている弾性スプリングアームのスプリングとによって、スナップ嵌めが形成される。好ましくは、その円周方向溝は円形ピンに設けられ、スプリングを有するスプリングアームが、フィルムヒンジによって円形凹部の壁に対して弾性的に形成される。
【００１１】
協働関係にある係合要素の間の摩擦を小さく維持するために、円形ピンと円形穴との間にスライドリブが設けられる。本発明の好ましい実施形態においてスライドリブは、円形ピンの内壁に一体的に形成される。また本発明の変形実施形態においてスライドリブは、円形ピンの外壁に一体的に形成される。
【００１２】
本発明の他の実施形態では、フェイス壁及び保護壁の係合要素が、プラグ接続による協働関係で保持される。

【００１３】
使用者が非常に操作しやすい本発明の実施形態によると、保護部材は２つの保護壁及び保護壁に接続されているキャップ部によって形成される。また製造において経済的な本発明の実施形態では、保護部材が１つの保護壁及び保護壁に設けられているキャップ部によって形成されることを特徴とする。
【００１４】
乾式ひげそり装置の使用時の操作を容易にするために、本発明の実施形態は、少なくとも１つの枢動位置に保護部材を保持するための弾性的に取り付けられた戻り止手段を備える。本発明の実施形態において、コントロールスイッチが保護壁に配置される。本発明の他の見地によると、保護壁のコントロールスイッチが回転継手によって枢動するように取り付けられる。
【００１５】
本発明の他の好ましい実施形態では、保護壁を貫通して延びる係合要素に、コントロールスイッチが設けられる。好ましくは、コントロールスイッチは滑り制御装置として形成される。本発明の実施形態は、滑り制御装置の少なくとも１つの制御移動のために、保護壁に凹部を設ける。好ましくは、凹部は枢動可能に取り付けられる保護壁に設けられる。キャップ部１８がひげそりアセンブリと反対の位置であって、コントロールスイッチを凹部に移動すると乾式ひげそり装置の電気駆動機構が作動するように凹部が利用されるような位置にある保護壁の凹部の位置は、保護壁を１８０゜枢動すると（これを行うことにより、保護部材のキャップ部はＵ形状のひげそりアセンブリを含むようになる）、保護壁に設けられているオフ位置にあるコントロールスイッチが、この効果に必要とされる付加的な構成要素なしで、オン位置に移動するのを抑制されるという効果を自動的に有する。
【００１６】
本発明の他の本実施形態において、凹部はケーシングのフェイス壁に設けられる。本実施形態の他の見地によると、凹部は係合要素の円形リング状の環状壁に形成される。本発明の更に他の見地によると、凹部に移動可能なピンが、コントロールスイッチに設けられる。
【００１７】
本発明の実施形態によると、２つの細幅側壁に対する回転軸Ｄの相対的距離Ｒ１は同一である。本発明の他の実施形態において、ひげそりアセンブリＳの最外点Ｐに対する回転軸Ｄの相対的距離Ｒ１は、ケーシング部のひげそりアセンブリＳの反対側の最外点Ｐ１より大きい。本発明の他の好適な実施形態において、ひげそりアセンブリＳの最外点Ｐ１に対する回転軸Ｄの相対的距離Ｒ１は、ケーシング部のひげそりアセンブリＳの反対側の最外点Ｐ１に対する距離Ｒ１と等しい。
【００１８】
本発明の好ましい実施形態の幾つかについて、添付図面を参考にして以下に説明する。
【００１９】
【発明の実施の形態】
図１は、実質的に２つのフェイス壁１，２、及び４つの細幅側壁３，４，５，６から構成されているケーシング７を備える乾式ひげそり装置の正面図であり、短毛カッターアセンブリＳが細幅側壁６に配置されている。短毛カッターアセンブリは、ひげそりヘッドフレーム９内に弧形に張力をもって保持されている外刃８と、外刃８と機能的に関連する内刃（図示せず）とから構成されている。ひげそりヘッドフレーム９は、着脱可能にケーシング７に連結されている。ひげそりヘッドフレーム９の下には、カッターアセンブリＳと平行に延びる長毛トリマアセンブリ１０がケーシング７内に設けられており、フェイス壁２から外側に傾動して出るようになっている。長毛トリマアセンブリ１０は、細幅側壁４に配置されているスイッチ１１によって図３に示されているトリミング位置に傾動し、スイッチ１１を他方に動かすと、ケーシング７の内部に向かって反対方向に傾動して内部に収容され静止した保護位置にくる。
【００２０】
係合要素１３が、ケーシング７のフェイス壁１に一体的に形成されている。保護壁１６は、保護壁１６を貫通して延びる円形穴として形成されている係合要素１２によって、円形ピンとして形成されている係合要素１３に回転可能に取り付けられている。キャップ部１８は保護壁１６に一体的に形成されている（図３参照）。キャップ部１８は、他の保護壁１７及び他の係合要素１４，１５によって、ケーシング７のフェイス壁２に枢動可能に取り付けられている（図４参照）。
【００２１】
図１は使用準備のできた状態の乾式ひげそり装置を示している。このように、キャップ部１８はカッターアセンブリＳと反対の枢動位置、すなわちケーシング７の底壁を形成している細幅側壁５に平行に延びる位置にある。
【００２２】
電気駆動機構を作動させるためのコントロールスイッチ２０が、係合要素１３を形成しているピンに配置されており、そのスイッチは、ケーシング７のフェイス壁１の一部分である係合要素１３の外壁を貫通して延びている。コントロールスイッチ２０はスライドスイッチとして形成されている。コントロールスイッチ２０のコンタクトパス２１が円形の係合要素１３に支持されている保護壁１６に形成され、カッターアセンブリＳがキャップ部１８から開放されているときだけコントロールスイッチ２０がコンタクトパス２１に滑り入ることができるようになっており、このコントロール動作は乾式ひげそり装置の電気駆動機構を作動させる。乾式ひげそり装置のスイッチが切られると、図２に示されているように、コントロールスイッチ２０は円形係合要素１３の輪郭内に入り、一体的に形成されたキャップ部１８を有する保護壁１６が、カッターアセンブリＳの上方にキャップ部１８がある枢動位置に１８０゜枢動することができるようになる。係合要素１２である円形穴の壁面は、キャップ部１８がカッターアセンブリＳを保護する枢動位置にあるときに、コントロールスイッチ２０がいかなるコントロール動作をもとれないようにしている。このような係合要素１２，１３及びコントロールスイッチ２０の形状の相対的調和、並びにそれらの協働関係は、カッターアセンブリＳを保護するためにカッターアセンブリＳの真上に揺動されるキャップ部１８を用いて、偶然の作動に対する乾式ひげそり装置の信頼できる保護を確保し、コントロールスイッチ２０の作動を防止するための付加的な構成要素は必要としない。
【００２３】
図４〜図７は、それぞれのカッターアセンブリＳを保護しているキャップ部１８と１又は２枚の保護壁１６，１７との連結、及び乾式ひげそり装置のケーシング７の１又は２枚のフェイス壁１及び２との連結の、多様な実施形態を示している。
【００２４】
図４において、係合要素１３，１５は、円形ピンとして形成され、それぞれケーシング７のフェイス壁１及び２の両方に一体的に形成されている円周方向溝２２を有している。例えば係合要素１３の閉じている方の外壁は、保護壁１６の外側の表面と同じ高さである。対比すると、係合要素１５の外壁には開口部２３が設けられており、コントロールスイッチ２０を受容し、案内している。保護壁１６，１７には、その保護壁１６，１７を貫通して延びる円形穴の形をした係合要素１２，１４が設けられている。溝２２内に係合しているスプリング３３を有するスプリングアーム３２が、係合要素１２，１４である穴の外周上に弾性的に形成されており、係合要素１２，１３，１４，１５をスナップ嵌めしている。このスナップ嵌めによって、保護壁１６，１７は回転可能に係合要素１３，１５に連結され、保持されている。
【００２５】
図５は、ケーシング７のフェイス壁２に１つだけ形成されている係合要素１５と、キャップ部１８を支え且つ係合要素１４によって係合要素１５に回転可能に連結されている保護壁１７とを有する乾式ひげそり装置の一実施形態を示す。
【００２６】
図６の実施形態は、キャップ部１８に形成され且つケーシング７のフェイス壁１と平行に延びている付加的な保護壁１６が配置されている点で、図５の実施形態と異なる。図６の実施形態では、係合要素による保護壁１６とフェイス壁１との連結は行われていない。
【００２７】
図７の実施形態において、フェイス壁１，２及びキャップ部１８を支える保護壁１６，１７の係合要素１２，１３，１４，１５は、例えば、図４〜図６に示すコントロールスイッチ２０を受容している実施形態と比較すると直径は小さい。しかし実公平2-17558号公報に開示された既知の乾式ひげそり装置よりは大きく、従ってより丈夫である。乾式ひげそり装置を操作状態にセットするコントロールスイッチ２０はケーシング７の細幅側壁４の１つに配置されている。
【００２８】
図１及び図４〜図７、また図１２及び図１３において、枢動可能に取り付けられている保護部材の回転軸をＤとして示す。図１２の乾式ひげそり装置は、実質的に垂直中央線Ｍの両サイドの細幅側壁３から反対の細幅側壁４に円弧形状に延びている細長いひげそりアセンブリＳを含んでいる。この実施形態において、回転軸Ｄから円弧状のひげそりアセンブリＳの最外点Ｐまでの相対的距離Ｒ１は、ケーシング７の底壁を表わす同様に円弧状の細幅側壁５の最外点Ｐ１からの相対的距離Ｒ１と等しい。枢動可能に取り付けられているキャップ部１８の内壁は、距離Ｒ１よりわずかに大きな距離Ｒ２だけ回転軸Ｄから離れており、キャップ部１８がひげそりアセンブリＳを保護するためにひげそりアセンブリＳ上に回転軸Ｄを中心として確実に枢動できるように、またひげそりアセンブリＳを開放するためにケーシング７の細幅側壁５上に枢動できるようになっている。
【００２９】
例えば図４を参考にしてより詳細に説明されているような、変形実施形態においては、図３，図５，図６及び図７の乾式ひげそり装置の側面図からも直接わかるように、細幅側壁５の回転軸Ｄに対する相対的距離Ｒ３は、回転軸のひげそりアセンブリＳの最外点Ｐに対する相対的距離Ｒ１より小さい。直線形ひげそりアセンブリＳ（図１参照）で距離Ｒ１を測定する基準点は、一端の回転軸Ｄと、他端の、乾式ひげそり装置のケーシング７に配置され、細幅側壁３から対向側壁４に略直線的に延びている、ひげそりアセンブリＳの最外点Ｐとである。キャップ部１８のＵ形内壁の最外点と回転軸との距離Ｒ２は、ひげそりアセンブリＳ上のキャップ部１８の枢動が確実に行われるように、同様にＲ１より僅かに大きくなっている。ケーシング７の細幅側壁５に対する回転軸の相対的距離Ｒ３は、距離Ｒ２内で自由に変えることができる。どのように変化しても、すなわち距離Ｒ３が減少すると、乾式ひげそり装置は小型化し、キャップ部１８がひげそりアセンブリＳ上の位置に保持されている状態、すなわち、乾式ひげそり装置が使用できない状態において乾式ひげそり装置のサイズを大変小さくし、また便利にする。一方、キャップ部１８がケーシング７の細幅側壁５と平行である使用状態になると、この乾式ひげそり装置は、保護壁１６，１７及びキャップ部１８によってある長さに延びる、すなわち、サイズが大きくなる。よってこのような減少サイズの乾式ひげそり装置の操作が、ひげそり動作中には著しく楽になる。
【００３０】
図８は、協働関係にある保護壁１６が取り外された状態でのケーシング７のフェイス壁１を示している。スプリングアーム３２と保護壁１６の係合要素１２の構成部とに配置されているスプリング３３を受容するための溝２２（破線で示されている）を有する係合要素１３が、フェイス壁１に設けられている。コントロールスイッチ２０は係合要素１３に配置されている。スプリング要素２５及びボール２６を収容する凹部２４がフェイス壁１に一体的に形成されている。これらは戻り止手段であり、保護壁１６の内側の第１戻り止用凹部２８及び第２戻り止用凹部２７と機能的に関連して、ひげそりアセンブリＳの露出位置とひげそりアセンブリＳの保護位置に、キャップ部１８を支えている保護壁１６を位置決めする機能を提供している。それゆえ、戻り止用凹部２７及び２８は、軸に対して互いに１８０゜ずれた関係で、回転軸Ｄを中心とした円上に配置されている。数個のスライドリブ３６が、円形穴として形成されている係合要素１２の内壁に作られており、これらのリブは、保護壁１６が円形ピンとして形成されている係合要素１３の回りを回転するときの摩擦を著しく低減している。
【００３１】
図９及び図１１に、係合要素１２，１３，１４，１５によって形成された回転継手（保護壁１６によって隠蔽されている）乾式ひげそり装置を示す。回転継手の形状は、実質的に図４の形状及びその関連した記載に対応している。円形貫通穴を有する図４の実施形態と比べると、係合要素１２として形成されている円形凹部が保護壁１６の内部に形成されており、その結果、円形ピンとしてフェイス壁１に形成されている係合要素１３が、枢動可能に取り付けられている保護壁１６に隠蔽されている。図９には、乾式ひげそり装置が、使用のために開放された状態のひげそりアセンブリＳを有した状態で示されている。従って、ひげそりアセンブリＳを保護するために保護壁１６に形成されているキャップ部１８は、底壁を形成している細幅側壁５と平行な位置にある。回転軸Ｄを中心として１８０゜回転すると、キャップ部１８を有する保護壁１６はひげそりアセンブリＳの周りを揺動して、図１１に示す位置になる。この揺動運動は、図９に示すコントロールスイッチ２０が図示のオン位置からオフ位置に移動した後でのみ行われる。コントロールスイッチ２０の形状の詳細を図１０に示し、より詳細については以下に述べる。
【００３２】
図１０に係合要素１３を有するケーシング７のフェイス壁１を示す。この係合要素１３は、保護壁１６の他の係合要素１２に連結されるように適合されており、ピン５０を有するコントロールスイッチ２０と同様に回転軸Ｄを中心として回転可能である。このピン５０は、回転軸Ｄを中心としたコントロールスイッチ２０と保護壁１６との枢動の進路にあり、係合要素１３の円形リング形の環状壁に沿って滑り、環状壁に形成され且つコントロールスイッチ２０に対してコンタクトパスとして設けられている凹部の領域に入る。この凹部は、フェイス壁１を合同な２つの半体に分けている垂直中心線上に位置している。壁５３には、滑り部材５５が細長いスロット５４内に垂直に滑るように配置されており、滑り部材５５の位置は２つの協働関係にある係合要素５６，５７によって決定されることができる。コントロールスイッチ２０は、プラグ接続５８，５９によって滑り部材５５に連結されるように適合されている。コントロールスイッチ２０がオフ位置であり、ひげそりアセンブリＳがキャップ部１８から開放されている状態で、コントロールスイッチ２０を滑り部材５５へ連結した後、ピン５０は係合要素１３の環状壁の外部になり、乾式ひげそり装置を作動するためにコンタクトパス２１に移動されることができ、その過程で、係合要素５６及び５７は、第１係合位置から第２係合位置へと移動する。この状態で、コントロールスイッチ２０及び保護壁１６は、図９に示されている位置を占める。保護壁１６が、従ってキャップ部１８が、図１１に示されている位置へ枢動できるようにするには、まず始めに、コントロールスイッチ２０をオン位置からオフ位置へと移動することが必要である。この移動が起こると、ピン５０はコンタクトパス２１の外部に滑り、引続く回転軸Ｄを中心とした回転とともに、係合要素１３の円形リング形状の環状壁に沿ってひげそりアセンブリＳがキャップ部１８によって被覆されるまで滑る。そしてピン５０はコンタクトパス２１の位置に対して１８０゜ずれた方向になり、そこでは、係合要素１３の円形リング形状の環状壁が、垂直方向に又は反対方向にピンがずれるのを防止する。その結果、図１１のコントロールスイッチ２０は、図示されているオフ位置にロックされ、すなわち、コンタクトパス４０に動くことはできない。
【図面の簡単な説明】
【図１】乾式ひげそり装置の正面図であり、係合要素１３を中心として１８０゜枢動したキャップ部を示す図である。
【図２】乾式ひげそり装置の正面図であり、係合要素を中心として回転するように取り付けられた保護壁と、ひげそりアセンブリを保護しているキャップ部とを示す図である。
【図３】図１及び図２の乾式ひげそり装置の細幅側壁の図であり、２つの保護壁上に設けられ且つひげそりアセンブリと反対に位置しているキャップ部と、トリミング位置の長毛トリマアセンブリとを示す図である。
【図４】図１〜図３の乾式ひげそり装置の側面図であり、ケーシングのフェイス壁と保護壁とに設けられている協働関係にある係合要素を示す図である。
【図５】図１〜図３の乾式ひげそり装置の側面図であり、ケーシングのフェイス壁及び保護壁に設けられた係合要素を示す図である。
【図６】図１〜図３の乾式ひげそり装置の側面図であり、キャップ部を支えている２つの保護壁と、１つのフェイス壁及び１つの保護壁にそれぞれ設けられている係合要素とを示す図である。
【図７】図１〜図３の乾式ひげそり装置の側面図であり、ケーシングの２つのフェイス壁と平行に延びている保護壁とに設けられた回転継手として形成されている係合要素を示す図である。
【図８】係合要素と、コントロールスイッチと、係合要素として機能する保護壁を貫通して延びる穴を有する保護壁とを備えるケーシング外板の分解図である。
【図９】ひげそりアセンブリの反対側に位置しているキャップ部と、オン位置にあると示されているコントロールスイッチとを有する乾式ひげそり装置の正面図である。
【図１０】係合要素と、戻り止手段を有するコントロールスイッチとを備えるケーシング外板を示す図である。
【図１１】図９の乾式ひげそり装置の正面図であり、キャップ部によって保護されているひげそりアセンブリと、オフ位置でのコントロールスイッチとを示す図である。
【図１２】乾式ひげそり装置の正面図であり、ケーシングの広範囲でアーチ形に延びているひげそりアセンブリと、保護壁のための回転継手に配置されているコントロールスイッチ及び底壁とを示す図である。
【図１３】図１２の乾式ひげそり装置の側面図である。
【符号の説明】
１，２…フェイス壁、３，４，５，６…細幅側壁、７…ケーシング、１２，１３，１４，１５…係合要素、１６，１７…保護壁、１８…キャップ部、２０…コントロールスイッチ、２１…コンタクトパス、２２…円周方向溝、３２…弾性スプリングアーム、３３…スプリング、３６…スライドリブ、５０…ピン、Ｓ…ひげそりアセンブリ、Ｄ…回転軸。
【図１】
0003992331.tif 000002
【図２】
0003992331.tif 000003
【図３】
0003992331.tif 000004
【図４】
0003992331.tif 000005
【図５】
0003992331.tif 000006
【図６】
0003992331.tif 000007
【図７】
0003992331.tif 000008
【図８】
0003992331.tif 000009
【図９】
0003992331.tif 000010
【図１０】
0003992331.tif 000011
【図１１】
0003992331.tif 000012
【図１２】
0003992331.tif 000013
【図１３】
0003992331.tif 000014